(57)【特許請求の範囲】
【請求項１】
加入者端末に対応するユーザのユーザ情報とアプリケーションサーバが送信するアプリケーション情報の位置リストのうちからユーザが選択し、前記アプリケーションサーバが前記ユーザの権限を点検した少なくとも１つの位置に対する選択情報とを加入者情報として登録する加入者データベースと、アプリケーション情報の現在の状態またはアップデートされた状態を含むプレゼンス情報を受信するプレゼンスゲートウェイと、プレゼンス情報の送信を中継するプレゼンス送信部とを含むシステムによるユビキタスプレゼンスサービス方法であり、
前記プレゼンスゲートウェイが、１つ以上の前記アプリケーションサーバから、アプリケーション情報の現在の状態またはアップデートされた状態を含むプレゼンス情報を受信し、
前記プレゼンス送信部は、前記受信されたプレゼンス情報を、前記プレゼンス情報が対応するアプリケーション情報の位置が前記加入者データベースに登録された加入者情報の位置リストに含まれるユーザ情報に対応する加入者端末に送信する、
ことを含むことを特徴とするユビキタスプレゼンスサービス方法。
【請求項２】
前記プレゼンス情報は、各加入者端末に基づいて、該当端末がサポートする通信方式を用いて送信されることを特徴とする請求項１に記載のユビキタスプレゼンスサービス方法。
【請求項３】
前記通信方式は、ＴＣＰ／ＩＰ、ＳＭＳ、ＵＤＰ、およびＰ２Ｐのうちの１つ以上の方式を含むことを特徴とする請求項２に記載のユビキタスプレゼンスサービス方法。
【請求項４】
前記プレゼンス情報を受信する前に、
前記１つ以上のアプリケーションサーバからプレゼンスサービスの対象となるアプリケーション情報の位置リストを含む提供者情報を前記加入者データベースに登録をし、
前記プレゼンスゲートウェイは、前記アプリケーション情報の位置リストよりアップデートされたプレゼンス情報を、前記１つ以上のアプリケーションサーバから、受信することを特徴とする請求項１に記載のユビキタスプレゼンスサービス方法。
【請求項５】
前記プレゼンス情報を送信する際、
各加入者端末に基づいて、該当端末がサポートするＸＭＬ、ＨＴＭＬ、ＷＡＰ、およびバイナリフォーマットのうちの少なくとも１つのデータフォーマットで前記プレゼンス情報を送信することを特徴とする請求項１に記載のユビキタスプレゼンスサービス方法。
【請求項６】
前記プレゼンス情報を受信する前または後に、
ユーザ端末からの要求に応じて、プレゼンスサービスの対象となるアプリケーション情報の位置リストを前記ユーザ端末に送信し、
前記ユーザ端末に対応するユーザ情報と、前記アプリケーション情報の位置リストのうちからユーザが選択する少なくとも１つの位置に対する選択情報と、を加入者情報として登録する
ことをさらに含み、
前記プレゼンス情報を送信する際に、前記加入者情報によって該当の位置においてアップデートされたプレゼンス情報を送信することを特徴とする請求項１に記載のユビキタスプレゼンスサービス方法。
【請求項７】
前記アプリケーションサービスは、ユーザ端末からアップロードされる情報に応じてプレゼンスサービスの対象となるアプリケーション情報がアップデートされるＭＯ（Ｍｏｂｉｌｅ  Ｏｒｉｇｉｎａｔｉｏｎ）に基づくサービスを含むことを特徴とする請求項１に記載のユビキタスプレゼンスサービス方法。
【請求項８】
前記プレゼンス情報を送信する際、
前記プレゼンス情報を非同期送信方式で送信することを特徴とする請求項１に記載のユビキタスプレゼンスサービス方法。
【請求項９】
アプリケーションサーバと多様な形態のユビキタス端末との間で中継プラットホームを用い、前記アプリケーションサーバで運営される各アプリケーションサービスに対するプレゼンス情報を１つの経路を介して集積して統合管理し、
前記アプリケーションサーバが送信するプレゼンス情報であり、サービスを受けようとする少なくとも１つのプレゼンス情報に対する加入を前記アプリケーションサーバが前記ユビキタス端末のユーザの権限を確認した後に登録をした少なくとも１つの端末に、該当端末でサポートされるデータフォーマットのプレゼンス情報を送信することを特徴とするユビキタスプレゼンスサービス方法。
【請求項１０】
請求項１〜９のうちのいずれか一項の方法をコンピュータに実行させるためのプログラムを記録したコンピュータ読み取り可能な記録媒体。
【請求項１１】
加入者端末に対応するユーザのユーザ情報と、アプリケーションサーバが送信するアプリケーション情報の位置リストのうちからユーザが選択し、前記アプリケーションサーバが前記ユーザの権限を点検した少なくとも１つの位置に対する選択情報と、を加入者情報として登録する加入者データベースと、
アプリケーション情報の現在の状態またはアップデートされた状態を含むプレゼンス情報を前記アプリケーションサーバから受信するプレゼンスゲートウェイと、
前記受信されたプレゼンス情報の送信を、前記プレゼンス情報が対応するアプリケーション情報の位置が前記加入者データベースに登録された加入者情報の位置リストに含まれるユーザ情報に対応する加入者端末へ中継するプレゼンス送信部と、
を含むことを特徴とするユビキタスプレゼンスサービスシステム。
【請求項１２】
前記プレゼンス送信部は、各ユビキタス加入者端末の多様な形態を区分して、該当端末がサポートする通信方式で前記プレゼンス情報を送信することを特徴とする請求項１１に記載のユビキタスプレゼンスサービスシステム。
【請求項１３】
アプリケーションサーバからプレゼンスサービスの対象となるアプリケーション情報の位置リストを含む提供者情報をデータベースに登録する提供者管理部をさらに含み、
前記プレゼンスゲートウェイは、前記アプリケーション情報の位置リストよりアップデートされたプレゼンス情報を、前記アプリケーションサーバから、受信することを特徴とする請求項１１に記載のユビキタスプレゼンスサービスシステム。
【請求項１４】
ユーザ端末からの要求に応じて、プレゼンスサービスの対象となるアプリケーション情報の位置リストを前記ユーザ端末に送信し、前記ユーザ端末に対応するユーザ情報と、前記アプリケーション情報の位置リストのうちからユーザが選択する少なくとも１つの位置に対する選択情報と、を加入者情報として前記加入者データベースに登録する加入者管理部をさらに含  前記プレゼンス送信部は、前記加入者情報によって該当位置においてアップデートされたプレゼンス情報を送信することを特徴とする請求項１１に記載のユビキタスプレゼンスサービスシステム。
【請求項１５】
前記プレゼンス送信部は、
前記プレゼンス情報が予め指定されたデータフォーマットである場合に前記プレゼンス情報を受信するユビキタス通知サービス部と、
各ユビキタス加入者端末に前記プレゼンス情報を送信する１つ以上のブローカと、
を含み、
前記１つ以上のブローカのうちで前記データフォーマットの送信をサポートするブローカが加入者端末の通信方式に従って前記プレゼンス情報を送信することを特徴とする請求項１１に記載のユビキタスプレゼンスサービスシステム。
【請求項１６】
前記ユビキタス通知サービス部は、加入者端末の要求に応じて、ユーザインターフェースのためのＵＥＤファイルを前記加入者端末に送信し、前記ブローカは、前記ＵＥＤファイルで指定するデータフォーマットのバイナリプロトコルによって前記プレゼンス情報を送信し、
前記加入者端末は、前記ＵＥＤファイルを解析して得られたテンプレートに基づいた形態に前記プレゼンス情報を変換して表示することを特徴とする請求項１５に記載のユビキタスプレゼンスサービスシステム。
【請求項１７】
前記プレゼンス送信部は、
加入者端末の送信データフォーマットを判断するユビキタスコンテンツゲートウェイと、
各ユビキタス加入者端末に前記プレゼンス情報を送信する１つ以上のユーザインターフェースロジックと、
を含み、
前記ユビキタスコンテンツゲートウェイは、前記判断結果によって前記１つ以上のユーザインターフェースロジックのうちから前記データフォーマットの送信をサポートするユーザインターフェースロジックを選択し、
前記選択されたユーザインターフェースロジックが前記プレゼンス情報を前記データフォーマットに変換し、前記加入者端末の通信方式に従って前記変換されたデータを送信することを特徴とする請求項１１に記載のユビキタスプレゼンスサービスシステム。
【請求項１８】
前記１つ以上のユーザインターフェースロジックは、各ユビキタス加入者端末からアップロードされるＭＯに基づくコンテンツを受信することを特徴とする請求項１７に記載のユビキタスプレゼンスサービスシステム。
【請求項１９】
前記プレゼンス送信部は、
前記プレゼンス情報を非同期送信方式で送信する非同期送信手段を含むことを特徴とする請求項１１に記載のユビキタスプレゼンスサービスシステム。
【発明の詳細な説明】
【技術分野】
【０００１】
本発明は、プレゼンス（ｐｒｅｓｅｎｃｅ）サービス方法およびシステムに関し、より詳細には、多様なアプリケーションサーバで運営されるアプリケーションサービスの現在の状態ないしこのアップデートに関する情報（プレゼンス情報）を３Ａ（Ａｎｙｔｉｍｅ（いつでも）、Ａｎｙｗｈｅｒｅ（どこでも）、Ａｎｙｄｅｖｉｃｅ（どのデバイスでも））ベースで提供することができるユビキタス（ｕｂｉｑｕｉｔｏｕｓ）プレゼンスサービス方法およびシステムに関する。
【背景技術】
【０００２】
図１は、従来のプレゼンスサービス方法を説明するための図である。図１を参照すれば、デスクトップパソコン、ノート型パソコン、携帯電話、ＰＤＡ（Ｐｅｒｓｏｎａｌ  Ｄｉｇｉｔａｌ  Ａｓｓｉｓｔａｎｔ）などのユーザ端末は、インターネット、公衆網、携帯インターネット網、移動通信網などのネットワークを介して、アプリケーションサーバから提供される多様な情報にアクセスすることができる。
【０００３】
これだけでなく、アプリケーションサーバは、ユーザ端末のオンライン状態、地理学的な位置、およびサービスの利用可能性などの現状に関するプレゼンスを加入者に提供することができ、位置ベースサービス、メッセンジャー（ｍｅｓｓｅｎｇｅｒ）サービスなどのプレゼンスを用いた多様なサービスを提供することができる。さらに、最近では、アプリケーションサービスの現状に関する情報（例えば、該当アプリケーションで提供する特定情報の現在の状態またはアップデート状況など）までもプレゼンスとして加入者に提供するサービスも可能である。
【０００４】
このようなプレゼンスサービスの提供を受けるために、ユーザは、自分の端末を介してアプリケーションサーバで提供されるホームページ、グループ、ブログなどに登録し、これにより、アプリケーションサーバによって随時アップデートされる巨大な量のアプリケーションサービスの現状（プレゼンス）のうちから必要なプレゼンスの通知を選択的にいつでも受けることができる。
【０００５】
しかしながら、このような既存のプレゼンスサービスの場合、ユーザの立場では、各アプリケーションサーバによって提供されるホームページ、グループ、ブログなどのアプリケーションに１つ１つ接続し、それぞれ個別にプレゼンスサービスの登録、登録の変更、追加、削除などの作業を実行しなければならない。このため、プレゼンス関連プロフィールを一括して管理することが難しいという問題点がある。
【０００６】
また、アプリケーションサーバの立場でも、プレゼンスの通知に関する各ユーザの登録の変更、追加、削除などをそれぞれ個別に処理して１つ１つ加入関連権限を付与しなければならない。つまり、各アプリケーションにおいて、プレゼンス通知関連加入権限を一貫したインターフェースで提供できないという問題点がある。
【０００７】
一方、上述のように、既存のインターネット上のプレゼンスサービスの大部分は、固定したＰＣを用いて高速のインターネットラインを介して提供される形態のサービスであった。しかしながら、最近ではユビキタス（Ｕｂｉｑｕｉｔｏｕｓ）時代の到来により、このようなサービスは多様なユビキタスデバイスで提供されるように発展している。ユビキタス化したサービスは、ＰＣ、携帯電話、ＰＤＡだけではなく、無線インターネットや携帯インターネットがサポートされる端末や、ＬＡＮ（Ｌｏｃａｌ  Ａｒｅａ  Ｎｅｔｗｏｒｋ）に接続された冷蔵庫、電子レンジ、炊飯器、自動販売機、メモリスティックなどのより多様なデバイスにより、いつどこででもアクセスが可能なサービスである。ユビキタスサービスは、顧客がサービスにアクセスする形態というよりは、次第にサービスが顧客にアクセスするプロアクティブ（ｐｒｏａｃｔｉｖｅ）形態のサービスであるといえる。
【０００８】
したがって、ユビキタス時代に合わせ、インターネットなどの各アプリケーションサービスで生じるプレゼンスを統合集積し、加入者個々人に容易かつ効率的に伝達することができるインフラが必要となり、アプリケーションサーバにおいてサービスごとに多様な形態のユビキタスデバイスをサポートすることは現実的に難しいため、各種プレゼンスをデバイスに適合するように適切に処理することができる中継プラットホームが求められている。
【発明の概要】
【発明が解決しようとする課題】
【０００９】
本発明は、上述した問題点を解決するためのものであって、本発明の目的は、多様なアプリケーションサーバで運営されるアプリケーションサービスの現状情報（プレゼンス情報）が提供される加入者は、自分のプレゼンスプロフィールを一括して管理することができ、アプリケーションサーバは、プレゼンスサービスの加入権限を一貫したインターフェースで提供できるようにするために、加入者リストを中継プラットホームで管理し、アプリケーションサーバから提供される各サービス関連プレゼンスを１つの経路を介して集積して統合管理し、加入者に３Ａベースでいつどこででもデバイスに関係なく提供することができるユビキタスプレゼンスサービス方法およびシステムを提供することにある。
【００１０】
また、本発明の他の目的は、多様なユビキタスユーザ端末に対応してプレゼンスを通知できるように、アプリケーションサーバが登録したデータフォーマットをサポートする適切なブローカーコネクション（ｂｒｏｋｅｒ  ｃｏｎｎｅｃｔｉｏｎ）、所定のコンテンツゲートウェイとＵＩ（Ｕｓｅｒ  Ｉｎｔｅｒｆａｃｅ）ロジック、または非同期送信プロセッサなどを運営し、どのような形態のユーザ端末であっても該当端末に適合した方式でプレゼンスサービスを提供することができるユビキタスプレゼンスサービス方法およびシステムを提供することにある。
【００１１】
さらに、本発明のさらに他の目的は、上述したような技術を既存に提供されていたレガシー（ｌｅｇａｃｙ）サービスの小さな変更だけでユビキタスデバイスに適合した統合型プッシュサービスが提供されるようにし、ユーザがサービスにより密着することができるユビキタス連結環をユーザに提供することによってサービス自体の成長にも相当に寄与することができる、ユビキタスプレゼンスサービス方法およびシステムを提供することにある。
【課題を解決するための手段】
【００１２】
上述したような本発明の目的に従って上述の目的及び効果を達成するために、本発明の一面に係るユビキタスプレゼンスサービス方法は、１つ以上のアプリケーションサーバから、アプリケーションサービスの現在の状態またはアップデートされた状態を含むプレゼンス情報を受信し、前記受信したプレゼンス情報を少なくとも１つ以上の加入者端末に送信することを含む。
【００１３】
本発明の他の一面に係るユビキタスプレゼンスサービス方法は、アプリケーションサーバと多様な形態のユビキタス端末との間で中継プラットホームを用い、前記アプリケーションサーバで運営される各アプリケーションサービスに対するプレゼンス情報を１つの経路を介して集積して統合管理し、サービスを受けようとする少なくとも１つのプレゼンス情報に対する加入を登録した少なくとも１つの端末に、該当端末でサポートされるデータフォーマットのプレゼンス情報を送信することを特徴とする。
【００１４】
本発明のさらに他の一面に係るユビキタスプレゼンスサービスシステムは、アプリケーションサービスの現在の状態またはアップデートされた状態を含むプレゼンス情報を受信するプレゼンスゲートウェイと、前記受信されたプレゼンス情報の送信を中継するプレゼンス送信部とを含む。このとき、前記プレゼンス送信部は、各ユビキタス加入者端末の多様な形態を区分して、該当端末がサポートする通信方式で前記プレゼンスを送信する。
【図面の簡単な説明】
【００１５】
【図１】従来のプレゼンスサービス方法を説明するための図である。
【図２】本発明の一実施形態に係るユビキタスプレゼンスサービスシステムを説明するための図である。
【図３】本発明の一実施形態によってプレゼンス情報として提供されるログイン情報の一例である。
【図４】本発明の一実施形態によってプレゼンス情報として提供されるポップアップ情報の一例である。
【図５】本発明の一実施形態によってプレゼンス情報として提供されるグループウィジェット情報の一例である。
【図６】本発明の一実施形態によってプレゼンス情報として提供されるグループ掲示板情報の一例である。
【図７】図２のユビキタスプレゼンスサーバの具体的なブロック図である。
【図８】図７のプレゼンス送信部をＵｎｏｔＳで実現した一例である。
【図９】図７のプレゼンス送信部をＵＣＧで実現した一例である。
【図１０】本発明の一実施形態に係るユビキタスプレゼンスサービス方法を説明するためのフローチャートである。
【発明を実施するための形態】
【００１６】
以下、添付の図面に基づき、本発明の好適な実施の形態を詳細に説明する。図中、可能な限り、同じ参照符号は同じ部材を示す。
【００１７】
以下に、本発明に係るユビキタスプレゼンス方法及びシステムについて図面を参照詩ながら説明を行なう。
【００１８】
図２は、本発明の一実施形態に係るユビキタスプレゼンスサービスシステムを説明するための図である。本発明の一実施形態に係るユビキタスプレゼンスサービスシステム２００は、インターネット、無線インターネット網、携帯インターネット網、コア網などのネットワーク２１０に接続された１つ以上のアプリケーションサーバ２２０と、多様な形態のユビキタスデバイスであるユーザ端末２４０とを含み、アプリケーションサーバ２２０からユーザ端末２４０にプレゼンス情報の伝達を中継するプラットホームの役割を行うユビキタスプレゼンスサーバ２３０を含む。ここで、アプリケーションサーバ２２０は、ＲＳＳ（Ｒｅａｌｌｙ  Ｓｉｍｐｌｅ  Ｓｙｎｄｉｃａｔｉｏｎ）サーバを含み、ＲＳＳサーバは、頻繁に更新されるコンテンツを容易に確認できるようにしたサーバである。特定サイトでＲＳＳサーバにアクセスしてＲＳＳファイルを定期的に収集する場合、更新されたコンテンツのタイトルと内容とを自動的に受けることができる。
【００１９】
アプリケーションサーバ２２０は、ユーザに多様なアプリケーションサービスを提供する。このようなアプリケーションサービスには、ホームページ管理サービス、メッセンジャーサービス、電子メールサービス、ＳＭＳ（Ｓｈｏｒｔ  Ｍｅｓｓａｇｅ  Ｓｅｒｖｉｖｅ）などのようなメッセージングサービス、通知サービス、緊急救援サービス、コミュニティ通知サービス、証券／金融情報、オンラインコミュニティ情報、ブログ情報、ゲーム情報などのような情報提供サービスなどが含まれてもよい。特に、アプリケーションサーバ２２０は、加入者に有効なプレゼンス情報のみを提供することができるアプリケーションサービスを運営し、加入者が随時アップデートされた現在の状況の提供を受けることができるサービスなどを運営することができる。
【００２０】
プレゼンス情報は、該当サービスで状況が変更されるたびに加入者に提供されるアプリケーションサービスの現在の状況や変更された状態に関する情報を含む。このようなプレゼンス情報を提供するサービスには、ホームページのログイン情報、ポップアップ（ｐｏｐ  ｕｐ）情報、ウィジェット（ｗｉｄｇｅｔ）情報、またはオンラインコミュニティ掲示板情報、電子メール受信状況情報、ブログ最新文、コメント情報、金融／電子商取引に関する競売、株式情報、口座情報、放送に関するプログラム情報、スポーツ中継、ホームショッピング情報、地域情報に関するプロフィール、天気予報、クーポン、不動産情報、コミュニケーションに関する存在情報、ＶｏＩＰメッセージ、通話料情報、または個人日程に関する日程管理情報、関心のあるお友達情報などを提供する多様なサービスがすべて含まれてもよい。
【００２１】
例えば、アプリケーションサーバ２２０は、図３に示すように、ネイバーホームページのユーザログイン情報をプレゼンス情報として提供することができる。プレゼンスサービスの対象となるアプリケーション情報は、受信されたメール数、メッセージ数、ユーザが加入したブログに関する情報、または、グループに関する情報などとしてもよい。このようなプレゼンスサービスの対象となるアプリケーション情報は、該当ユーザのブラウザの一部または全画面そのもので行うこともできるし、またはその画面における固有の意味、すなわち、アップデートされた部分（上述の受信されたメール数、メッセージ数など）として定めることもできる。どのような場合であっても、ＵＲＬ（Ｕｎｉｆｏｒｍ  Ｒｅｓｏｕｒｃｅ  Ｌｏｃａｔｏｒ）に基づいた位置情報に対応してプレゼンスサービスの対象となる該当アプリケーション情報を管理することができる。
【００２２】
図４は、本発明の一実施形態によってプレゼンス情報として提供されるポップアップ情報の一例である。アプリケーションサーバ２２０は、図４に示すように、ポップアップ情報の画面の一部またはその全体や、画面における固有の意味（例えば、メール数、コメント数、株価指数など）を管理することができ、ポップアップ情報や固有の意味は、ユーザが頻繁に検索する情報を集めてリアルタイムのポップアップ形態で提供することにより、ＵＲＬに基づいた所定の位置におけるプレゼンスサービスの対象となるアプリケーション情報として生成される。
【００２３】
図５に示すように、状況が変更されてアップデートされるポップアップ情報の画面の一部またはその全体や、またはその画面における固有の意味、また例えば、グループ活動情報やアップデート情報、グループ最新文、グループに最新文が到着したことを知らせるイベント性情報を、プレゼンスサービスの対象となるアプリケーション情報として管理することができる。
【００２４】
また、図６に示すように、状況が変更されてアップデートされるポップアップ情報の画面の一部またはその全体や、またはその画面における固有の意味、また例えば、グループ掲示板の現在状況やお知らせ掲示板に現在登録されている掲示文の状況を、ＵＲＬに基づいた所定の位置におけるプレゼンスサービスの対象となるアプリケーション情報として管理することができる。
【００２５】
この他にも、プレゼンスサービスの対象となるアプリケーションサービスは、ユーザ端末２４０からアップロード（ｕｐｌｏａｄ）される情報、また例えばイメージ、動画、音楽ファイルなどのマルチメディアコンテンツや一般データによってプレゼンスサービスの対象となるアプリケーション情報がアップデートされるＭＯ（Ｍｏｂｉｌｅ  Ｏｒｉｇｉｎａｔｉｏｎ）に基づくサービスを含む。
【００２６】
一方、ユーザ端末２４０は、多様な形態のユビキタスデバイスであって、デスクトップパソコンやノート型パソコンなどのコンピュータ、ＣＤＭＡ／ＷＣＤＭＡ網や無線インターネットまたは携帯インターネットを介して通信する携帯電話（Ｃｅｌｌｕｌａｒ  ｐｈｏｎｅ）、ＰＣＳフォン（ＰＣＳ  ｐｈｏｎｅ：Ｐｅｒｓｏｎａｌ  Ｃｏｍｍｕｎｉｃａｔｉｏｎｓ  Ｓｅｒｖｉｃｅｓ  ｐｈｏｎｅ）、同期式／非同期式ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）などの移動端末を含む。また、ユーザ端末２４０は、パームＰＣ（Ｐａｌｍ  Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔ）、スマートフォン（Ｓｍａｒｔ  ｐｈｏｎｅ）、ＷＡＰフォン（ＷＡＰ  ｐｈｏｎｅ：Ｗｉｒｅｌｅｓｓ  ａｐｐｌｉｃａｔｉｏｎ  ｐｒｏｔｏｃｏｌ  ｐｈｏｎｅ）、モバイルゲーム機（ｍｏｂｉｌｅ  ｐｌａｙ−ｓｔａｔｉｏｎ）、公衆網またはＩＰ網などに接続されたりＬＡＮに接続されたりするＴＶ、ＩＰＴＶ、冷蔵庫、電子レンジなど、すべての有無線家電／通信装置を包括的に意味する。
【００２７】
ユビキタスプレゼンスサーバ２３０は、アプリケーションサーバ２２０から多様な形態のユビキタスユーザ端末２４０へプレゼンス情報を伝達するプラットホームとして機能する。ユビキタスプレゼンスサーバ２３０は、プレゼンス情報（例えば、リアルタイム株価指数、未読のメール数、ブログの最新文やコメントの有無とその題目、掲示板の掲示文状況、アップロードされたコンテンツなど、サービスの現状や状態アップデートに対する情報を含む）を１つの経路を介して統合し、統合されたプレゼンス情報を管理し、サービス受けようとする少なくとも１つのプレゼンス情報に対する加入を登録した少なくとも１つの端末に、該当端末でサポートされるデータフォーマット（ＸＭＬ、ＨＴＭＬ、ＷＡＰ、バイナリフォーマットなど）のプレゼンス情報を、該当端末でサポートされる通信方式（ＴＣＰ／ＩＰ、ＳＭＳ、ＵＤＰ、Ｐ２Ｐなど）で送信する。
【００２８】
アプリケーションサーバ２２０と連携した加入権限がユビキタスプレゼンスサーバ２３０を介して付与され、コンピュータ、移動端末、ＴＶ、ＰＤＡ、ゲーム機などの多様な形態のユビキタスデバイス（端末）を使用するユーザは、いつどこででもユビキタスプレゼンスサーバ２３０を介してプレゼンスサービスを受けるための加入手続に参加することができ、該当サービスの提供を受けることができる。
【００２９】
必要なプレゼンスサービスの提供を受けようとする加入者に対するリストは、アプリケーションサーバ２２０にて管理するのではなく、中継プラットホームとしてのユビキタスプレゼンスサーバ２３０にて管理する。したがって、アプリケーションサーバ２２０は、プレゼンスサービスの加入権限をユビキタスプレゼンスサーバ２３０の一貫したインターフェースで提供できるようになる。
【００３０】
また、アプリケーションサーバ２２０からの各サービスについてのプレゼンス情報は、１つの経路を介してユビキタスプレゼンスサーバ２３０に統合されて統合的に管理され、加入者はユビキタスプレゼンスサーバ２３０を介して自分のプレゼンスプロフィールを統合して管理でき、ユビキタスプレゼンスサーバ２３０は加入者に３Ａベースでデバイスに適合した方式でプレゼンス情報を提供できるようになる。これにより、ユビキタス連結環をサービスに密接に密着してユーザに提供することができる。このようなユビキタスプレゼンスサーバ２３０は、サービス提供のためのアプリケーションを動作させるアプリケーションサーバ２２０により提供されるプッシュタイプのプレゼンスやイベントサービスのような、いままでのサービスに僅かな変更を加えるだけで実現できる。
【００３１】
図２のユビキタスプレゼンスサーバ２３０の詳細なブロック図が図７に示されている。図７を参照すれば、ユビキタスプレゼンスサーバ２３０は、提供者管理部２３１と、提供者データベース２３２と、加入者管理部２３３と、加入者データベース２３４と、プレゼンスゲートウェイ２３５と、プレゼンス送信部２３６とを含む。
【００３２】
提供者管理部２３１は、現状の変更がアップデートされるアプリケーションサービスを運営するアプリケーションサーバ２２０からプレゼンスサービスの対象となるアプリケーション情報の位置リストを含む提供者情報を受けて提供者データベース２３２に登録する。提供者データベース２３２には、該当サービスのＵＲＬのような位置リストをサービスＩＤとプレゼンスＩＤに対応して格納することができる。
【００３３】
加入者管理部２３３は、ユーザ端末２４０からの要求に応じて、アプリケーションサーバ２２０によって登録されたプレゼンスサービスの対象となるアプリケーション情報の位置リストをユーザ端末２４０に送信する。このとき、加入者管理部２３３は、アプリケーションサーバ２２０に該当ユーザＩＤを伝達するが、これによって、アプリケーションサーバ２２０が該当ユーザの権限を点検して加入登録手続を実行することができる。
【００３４】
認証されたユーザ端末は、加入者管理部２３３から提供される位置リストのうちでユーザが選択する少なくとも１つの位置に対する選択情報とユーザＩＤ、パスワード、端末固有番号、端末機種などのユーザ情報を加入者管理部２３３に送信し、これにより、加入者管理部２３３は、加入者別に選択情報とユーザ情報を含んだ加入者情報を加入者データベース２３４に登録する。
【００３５】
サービス加入者が特定チャンネルに対する権限を変更したり消去したりする場合には、アプリケーションサーバ２２０が該当加入者の該当位置に対する登録解除（ｄｅｒｅｇｉｓｔｒａｔｉｏｎ）命令によって加入者管理部２３３に通知する。これにより、加入者管理部２３３は、加入者データベース２３４から該当加入者の権限を削除し、その加入者端末にはプレゼンス関連メッセージが送信されないように管理することができる。
【００３６】
一方、プレゼンスゲートウェイ２３５は、アプリケーションサーバ２２０から、提供者データベース２３２に登録された位置リストにおいてアップデートされたプレゼンス情報を受信する。一実施形態において、プレゼンスゲートウェイ２３５は、プレゼンス情報をＸＭＬ（Ｅｘｔｅｎｓｉｂｌｅ  Ｍａｒｋｕｐ  Ｌａｎｇｕａｇｅ）、ＨＴＭＬ（Ｈｙｐｅｒｔｅｘｔ  Ｍａｒｋｕｐ  Ｌａｎｇｕａｇｅ）、ＷＡＰ（Ｗｉｒｅｌｅｓｓ  Ａｐｐｌｉｃａｔｉｏｎ  Ｐｒｏｔｏｃｏｌ）などのデータフォーマット（ｆｏｒｍａｔ）で受信することができる。変形した実施形態において、プレゼンスゲートウェイ２３５は、バイナリプロトコルによる方式でその特定の意味のみを受信することもできたり、あるいは、該当バイナリプロトコルをサポートするためにＨＴＴＰ（ｈｙｐｅｒｔｅｘｔ  ｔｒａｎｓｆｅｒ  ｐｒｏｔｏｃｏｌ）、Ｊａｖａ(登録商標)  Ｃｌａｓｓなどの適応型レイヤ（Ａｄａｐｔａｔｉｏｎ  Ｌａｙｅｒ）を用いたりすることができる。
【００３７】
プレゼンスゲートウェイ２３５に接続するアプリケーションサーバ２２０は、提供者管理部２３１によって提供者データベース２３２に登録されたサーバであり、接続時に該当サービスＩＤと認証キーなどに基づいて接続することができる。この後、アプリケーションサーバ２２０から送信されるすべてのプレゼンス情報は、プレゼンスゲートウェイ２３５が定める規則により、ユーザ端末２４０への送信のためにプレゼンス送信部２３６の該当送信手段で送信される。
【００３８】
プレゼンス送信部２３６は、プレゼンスゲートウェイ２３５から送信されたプレゼンス情報を加入者端末に中継する。プレゼンス送信部２３６は、加入者データベース２３４内の当各加入者情報によって加入者が登録した該当位置におけるプレゼンスサービスの対象となるアプリケーション情報の現状またはアップデートされた状況に対するプレゼンス情報を対応する加入者端末に送信する。
【００３９】
プレゼンス送信部２３６は、このようなプレゼンス情報がアップデートされるときにリアルタイムで加入者端末に送信することができるが、これに限定されるものではない。アップデートがなされなくとも、例えば、トラフィックが少ない早朝時間ごとにアプリケーション情報の現状を周期的に加入者端末に送信することも可能である。ユビキタス加入者端末の多様な形態をサポートするために、プレゼンス送信部２３６は、各端末の多様な形態を区分して、該当端末がサポートする通信方式でプレゼンス情報を送信することができる。
【００４０】
まず、プレゼンス送信部２３６は、非同期送信手段を用いてプレゼンス情報を非同期送信方式で該当端末に送信することができる。非同期送信方式は、開始パルスと終了パルス内に一定の長さのデータ（例えば、１文字に該当するデータ）を挿入して送信する方式である。通信網資源がユビキタスユーザ端末２４０の状況によって異なるように割り当てられることを考慮するとき、非同期送信方式は、ユーザの要求に対応して該当データを送信することができる１つの方法となる。
【００４１】
また、図７のプレゼンス送信部２３６は、図８のＵｎｏｔＳ（Ｕｂｉｑｕｉｔｏｕｓ  ＮｏｔｉｆｉｃａｔｉｏｎＳｙｓｔｅｍ）で構成されることができる。図８を参照すれば、本発明の一実施形態に係るプレゼンス送信部８００は、ユビキタス通知（Ｕｂｉｑｕｉｔｏｕｓ  Ｎｏｔｉｆｉｃａｔｉｏｎ）サービス部８１０と、１つ以上のブローカ（ｂｒｏｋｅｒ）８２０とを含む。
【００４２】
ユビキタス通知サービス部８１０は、プレゼンスゲートウェイ２３５から伝達されるプレゼンス情報が予め指定されたデータフォーマットである場合に、その予め指定されたプレゼンス情報を受信することができる。また、１つ以上のブローカ８２０は、各加入者端末の多様な形態を区分して、該当端末がサポートする通信方式でプレゼンス情報を送信する。各ブローカ８２０のうちで該当データフォーマットの送信をサポートするブローカが、加入者端末がサポートする通信方式に従ってプレゼンス情報を送信することができる。
【００４３】
一実施形態において、各ブローカ８２０は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）、ＳＭＳ（Ｓｈｏｒｔ  Ｍｅｓｓａｇｅ  Ｓｅｒｖｉｃｅ）、ＵＤＰ（Ｕｓｅｒ  Ｄａｔａｇｒａｍ  Ｐｒｏｔｏｃｏｌ）、Ｐ２Ｐ（Ｐｅｅｒ  ｔｏ  Ｐｅｅｒ）などの、端末に適合した多様な通信方式でプレゼンス情報を送信することにより、多様なユビキタス端末へのプレゼンス情報の送信をサポートすることができる。
【００４４】
該当プレゼンス情報とユーザ端末２４０との間のコネクションは、所定のメモリ上にてポインタで参照されるようにすることにより、端末へのプレゼンス情報送信に関する最高の性能を保障することができる。同じプレゼンス情報が１つのブローカ８２０によって多数の加入者端末に配布される場合には、ユビキタス通知サービス部８１０は、プレゼンスゲートウェイ２３５から送信されるプレゼンス情報と該当プレゼンス情報が配布される受信ユーザ端末リストとをブローカ８２０に送信することができ、ブローカ８２０は、該当プレゼンス情報を該当各加入者端末に配布することもできる。
【００４５】
また、ユーザ端末２４０の種類に応じた多様な形態の通信をサポートするブローカ８２０は、基本的に接続ベースのブローカと非接続ベースのブローカとに分類することができる。接続ベースブローカの場合は、接続して認証したユーザ端末２４０を有効なクライアントとして認識し、ユビキタス通知サービス部８１０に接続したというプレゼンス信号をアクティブにし、以後にプレゼンスゲートウェイ２３５から伝達されたプレゼンス情報を該当加入者端末に送信する。
【００４６】
非接続ベースブローカは、ＳＭＳベースの移動端末あるいはポップアップサービスのための周期的ポーリング（ｐｏｌｌｉｎｇ）方式のインターネットサービス端末などで用いられる。このような場合、セッション（ｓｅｓｓｉｏｎ）情報は、個別にブローカ８２０側で管理される。例えば、携帯電話は、Ａｌｗａｙｓ−Ｏｎ  Ｄｅｖｉｃｅ（常にオン状態で待機する端末）として考えられることができるため、サービス加入または取り消しがインターネットホームページなどのログインまたはログアウトの役割を同じものとして考えることができる。また、加入者管理部２３３を介して、ユーザ端末２４０のうちでプレゼンスサービスを受けようとするユーザ端末の情報である加入者情報を加入者データベース２３４に格納することができる。この他にも、ブローカ８２０で該当加入者端末のプレゼンス（オン／オフ状態）を一括して管理するための別のデータベースを運営することもできる。ブローカ８２０は、追加するデバイスの形態に応じて該当端末のサービスサポート方式に適合するように開発されて追加されることができる。
【００４７】
一方、ブローカ８２０は、必要によっては、各加入者端末の多様な形態を区分せずに、ＸＭＬ形態などのデータでプレゼンス情報を送信することもできるが、各加入者端末の多様な形態を考慮するとき、各端末形態を区分して該当端末がサポートするデータフォーマットのバイナリ（ｂｉｎａｒｙ）プロトコルによるペイロード（ｐａｙｌｏａｄ：データ）にプレゼンス情報の固有意味を含ませて送信することもできる。
【００４８】
このために、アプリケーションサーバ２２０は、ユビキタス通知サービス部８１０に該当プレゼンス情報に対するバイナリプロトコルを定義し、下記の［ＵＥＤアルゴリズム］に従うなどしてＵＥＤ（ＵｎｏｔＳ  Ｅｖｅｎｔ  Ｄｅｓｃｒｉｐｔｉｏｎ）ファイルを登録した後、該当バイナリプロトコルに対するプレゼンス情報を発生させることができる。
【００４９】
［ＵＥＤアルゴリズム］
＜？ｘｍｌ  ｖｅｒｓｉｏｎ＝"１．０"ｅｎｃｏｄｉｎｇ＝"ｅｕｃ−ｋｒ"？＞
＜ｕｅｄ  ｅｖｅｎｔ−ｐｒｏｖｉｄｅｒ−ｉｄ＝"［ｅｖｅｎｔＰｒｏｖｉｄｅｒＩＤ］"ｅｖｅｎｔ−ｉｄ＝"［ｅｖｅｎｔＩＤ］"＞
＜ｄｅｓｃｒｉｐｔｉｏｎ＞［簡略な説明］＜／ｄｅｓｃｒｉｐｔｉｏｎ＞
＜ｒｅｃｏｒｄ＞
＜ｆｉｅｌｄ  ｎａｍｅ＝"［名前］"ｔｙｐｅ＝"［データタイプ］"／＞
［ｆｉｅｌｄ  ｅｌｅｍｅｎｔ繰り返し］
＜／ｒｅｃｏｒｄ＞
＜ｕｒｌ＞［追加情報ＵＲＬ］＜／ｕｒｌ＞
＜ｔｅｍｐｌａｔｅ＞［画面に表示されるテンプレート］＜／ｔｅｍｐｌａｔｅ＞
＜／ｕｅｄ＞
【００５０】
このとき、バイナリプロトコルを記述するために提供されるデータフォーマットは、多様な加入者端末に適応できるように、表１のように、８、１６、３２ビットなどの整数や文字列関数として定義されて送受信されることができる。
【００５１】
イメージや動画などのようなマルチメディアデータを上述のようなデータタイプで送信する場合には、上述した以外にもＳｔｒｉｎｇ２またはＳｔｒｉｎｇ４などの関数を活用して符号化されたデータを送信することも可能であるが、そのような形態のマルチメディアデータでは、ＵＲＬ（ｕｎｉｆｏｒｍ  ｒｅｓｏｕｒｃｅ  ｌｏｃａｔｏｒ）のみをメッセージに符号化して送信することが好ましい。このとき、加入者端末は該当プレゼンス情報を解釈し、マルチメディアコンテンツは、ＵＲＬを介したサーバ接続を用いてサービスを受けることができるであろう。このために、ユビキタス通知サービス部８１０は、加入者端末の要求に応じてユーザインターフェースのためのＵＥＤファイルを加入者端末に送信することができ、この後、ブローカ８２０は、ＵＥＤファイルで指定されるデータフォーマットのバイナリプロトコルによってプレゼンス情報を送信するようになり、これにより、加入者端末は、ＵＥＤファイルを解析しテンプレートに基づいた形態にプレゼンス情報を変換することができる。
【表１】
0005535067.tif 000002
【００５２】
図９は、図７のプレゼンス送信部２３６をＵＣＧ（Ｕｂｉｑｕｉｔｏｕｓ  Ｃｏｎｔｅｎｔｓ  Ｇａｔｅｗａｙ）を用いて実現した一例である。図９を参照すれば、本発明の他の実施形態に係るプレゼンス送信部９００は、ユビキタスコンテンツゲートウェイ（ｃｏｎｔｅｎｔｓ  ｇａｔｅｗａｙ）９１０と、１つ以上のユーザインターフェース（ｕｓｅｒ  ｉｎｔｅｒｆａｃｅ：ＵＩ）ロジック９２０とを含む。
【００５３】
ユビキタスコンテンツゲートウェイ９１０は、プレゼンス情報を受信し、加入者データベース２３４を参照して該当プレゼンス情報を受信する加入者端末のデータフォーマットを判断する。これにより、１つ以上のユーザインターフェースロジック９２０は、各ユビキタス加入者端末にプレゼンス情報を送信する。例えば、ユビキタスコンテンツゲートウェイ９１０は、判断結果によって１つ以上のユーザインターフェースロジック９２０のうちで加入者端末へのデータフォーマットの送信をサポートするいずれか１つのユーザインターフェースロジックを選択することができる。この後、選択されたユーザインターフェースロジックがプレゼンス情報を加入者端末がサポートするＸＭＬ、ＨＴＭＬ、ＷＡＰ、バイナリフォーマットなどのデータフォーマットに変換し、該当加入者端末の通信方式（ＴＣＰ／ＩＰ、ＳＭＳ、ＵＤＰ、Ｐ２Ｐなど）によって変換したデータを送信する。
【００５４】
また、プレゼンス送信部９００は、各ユビキタス加入者端末から提供されるＭＯに基づくコンテンツをアップロードすることができる。すなわち、ユーザ端末２４０は、一般データや、音楽ファイル、イメージ、動画などのマルチメディアデータをアプリケーションサーバ２２０にアップロードするとき、該当データは、該当の対応するデータフォーマットに応じて１つ以上のユーザインターフェースロジック９２０のうちのいずれか１つを介して受信することができ、受信したデータは、ユビキタスコンテンツゲートウェイ９１０を介してアプリケーションサーバ２２０にアップロードされることができる。
【００５５】
一方、ユーザ端末２４０は、プレゼンスサービスの加入登録とユーザインターフェースなどをサポートする所定のクライアントを含むことができ、ＵＥＤファイルを解析するためのテンプレートパーサを含むことができる。
【００５６】
ユーザ端末２４０に含まれるクライアントは、ユビキタスプレゼンスサーバ２３０で運営されるプレゼンスサービスに加入するために加入要求を送信することができ、ＵＥＤファイルをダウンロードするためのＵＥＤ要求を送信することもできる。クライアントは、提供者管理部２３１からアプリケーションサーバ２２０のプレゼンスサービス対象アプリケーション情報の位置リストを受信し、位置リストのうちから少なくとも１つの位置を選択することができ、選択された位置に対する選択情報と使用端末に対するユーザ情報（ユーザＩＤ、パスワード、端末固有番号、端末機種など）などを含む加入者情報を生成してユビキタスプレゼンスサーバ２３０の加入者管理部２３３に送信することができる。
【００５７】
これにより、加入者管理部２３３が加入者情報を加入者データベース２３４に登録すれば、クライアントが選択情報による該当位置に対するプレゼンス情報、例えば、リアルタイム株価指数、未確認メール数、ブログの最新文やコメントの有無やその題目、掲示板の掲示文状況、アップロードされたコンテンツなど、サービスの現状や状態アップデートに対する情報を受信することができる。
【００５８】
このように受信されたプレゼンス情報は、ユーザ端末２４０のユーザインターフェースを介して表示される。特に、クライアントは、受信するＸＭＬ形態のプレゼンス情報を直接に上位アプリケーションに掲載して表示されるようにすることができたり、受信したプレゼンス情報をＵＥＤに含まれるテンプレートに適用してメッセージを表示したりすることもできる。このため、ユーザ端末２４０のテンプレートパーサは、ＵＥＤファイルを解析してプレゼンス表示形式を指定するテンプレートを抽出して解析する。これにより、端末のユーザインターフェースは、バイナリプロトコルによるプレゼンス情報をテンプレートに適用した形態で表示することができる。これは、簡単なアラーティング（ａｌｅｒｔｉｎｇ）機能を提供するサービスの場合に用いることができる。
【００５９】
以下、図１０のフローチャートを参照しながら、本発明の一実施形態に係るユビキタスプレゼンスサーバ２３０の流れをより詳細に説明する。
【００６０】
まず、例えばＲＳＳサーバなどのプレゼンスサービスの対象となるアプリケーション情報を運営するアプリケーションサーバ２２０は、ユビキタスプレゼンスサーバ２３０の中継プラットホームによるプレゼンスサービスを提供するために、サービスＩＤまたはプレゼンスＩＤを含む該当アプリケーション情報の位置リストを提供者情報として登録する（Ｓ１１）。このとき、ユビキタス通知サービス部８１０には、該当アプリケーションサーバ２２０がサポートするＸＭＬ（ｅｘｔｅｎｓｉｂｌｅ  ｍａｒｋｕｐ  ｌａｎｇｕａｇｅ）形態のＵＥＤ（Ｕｎｏｔｓ  Ｅｖｅｎｔ  Ｄｅｓｃｒｉｐｔｉｏｎ）ファイルを格納させることもできる。ユビキタスプレゼンスサーバ２３０の提供者管理部２３１は、提供者データベース２３２に提供者情報を格納管理する。ユビキタス通知サービス部８１０の利用のために、ＵＥＤファイルと該当アプリケーション情報がマッピングされるように管理することができる。
【００６１】
次に、ユーザ端末２４０は、アプリケーションサーバ２２０が提供するプレゼンスサービスを受けるために、プレゼンスサービスの加入要求をユビキタスプレゼンスサーバ２３０の加入者管理部２３３に送信することができる（Ｓ１２）。これにより、加入者管理部２３３が各プレゼンスサービスの対象となるアプリケーション情報の位置リストを送信するとき、ユーザ端末２４０は、位置リストのうちからサービス受けようとする位置を選択し、選択した位置に対する選択情報と端末に対するユーザ情報（ユーザＩＤ、暗号、端末固有番号、端末機種など）などの加入者情報を加入者管理部２３３にフィードバックすることができる。これにより、加入者管理部２３３は、ユーザ端末２４０からの加入者情報を加入者データベース２３４に格納して管理する。
【００６２】
ユビキタス通知サービス部８１０を用いるユーザ端末２４０は、選択した位置に関するＵＥＤファイルを有していなければ、自分の端末の仕様に適合したＵＥＤを要求することができる。これにより、ユビキタス通知サービス部８１０からユーザインターフェースのためのＵＥＤファイルをダウンロードして所定のメモリに格納し、格納されたＵＥＤファイルを管理することができる。
【００６３】
ユビキタス通知サービス部８１０は、ユーザ端末２４０のクライアントからのＵＥＤ要求があると、仕様を参照して適合したＵＥＤを加入者端末に送信したり、またはクライアントを介して加入者が指定するデータタイプに適するように、それに適合したＵＥＤを加入者端末に送信したりすることができる。
【００６４】
ユビキタスコンテンツゲートウェイ９１０を介して、各ユビキタス加入者端末からＭＯに基づくコンテンツを随時にアプリケーションサーバ２２０にアップロードすることができる（Ｓ１３）。プレゼンスサービスの位置で、このようなＭＯに基づくアップロード情報または上述したログイン情報、ポップアップ情報、ブログやグループ情報などのアプリケーション情報が随時に変更されてアップデートされるたびに、アプリケーションサーバ２２０は、例えば、リアルタイムで該当アプリケーションの現在または変更された状態情報、リアルタイム株価指数、未読メール数、ブログの最新文やコメントの有無やその題目、掲示板の掲示文状況、アップロードされたコンテンツなど、サービスの現状や状態アップデートに対する情報を含むプレゼンス情報をユビキタスプレゼンスサーバ２３０に送信する（Ｓ１４）。
【００６５】
アプリケーションサーバ２２０は、このようなプレゼンス情報がアップデートされるたびにリアルタイムで加入者端末に送信することができるが、これに限定されるものではない。アップデートがなされなくても一定の周期、例えば、トラフィックが少ない早朝時間ごとにアプリケーション情報の現状を周期的に加入者端末に送信することも可能である。
【００６６】
この後、ユビキタスプレゼンスサーバ２３０は、提供者データベース２３２および加入者データベース２３４に基づいて該当提供者および加入者が有効であるか否かを判断する。有効であると判断されれば（Ｓ１５）、受信したプレゼンス情報が該当加入者端末に送信されるように中継する。
【００６７】
ユーザ端末２４０のうちで加入された加入者端末は、アプリケーションサーバ２２０からのアプリケーション情報が変更されアップデートされるたびに、該当位置のプレゼンス情報を受信することができる。
【００６８】
このために、図８のように、ユビキタス通知サービス部８１０がプレゼンス情報を加入者端末に送信する場合に、上述したように、ユビキタスプレゼンスサーバ２３０のプレゼンスゲートウェイ２３５は、ＵＥＤに定義されたデータタイプのバイナリプロトコルによってアプリケーションサーバ２２０からプレゼンス情報を受信してユビキタス通知サービス部８１０に伝達することができる。このとき、場合によっては、ＸＭＬ形態などでプレゼンス情報のプッシュを受けることも可能であろう。
【００６９】
プレゼンス情報を受信する場合に、プレゼンス情報を受信する加入者端末リストが共に受信されることができる。そして加入者情報による該当位置に対するプレゼンス情報がブローカ８２０を介してユーザ端末に送信される（Ｓ１６）。ブローカ８２０は、各ユビキタス加入者端末の多様な形態を区分して、ＴＣＰ／ＩＰ、ＳＭＳ、ＵＤＰ、Ｐ２Ｐなどの該当端末がサポートする通信方式でプレゼンス情報を送信することができる。
【００７０】
ブローカ８２０は、このようなプレゼンス情報の送信において、各加入者端末の多様な形態を区分せずに、ＸＭＬ形態などのデータ（ペイロード）にプレゼンス情報に対するメッセージを含ませて送信することもできる。しかし、加入者端末の小規模な資源を考慮すると、各加入者端末の多様な形態を区分して、該当端末がサポートするＵＥＤファイルのデータタイプ（図９参照）のバイナリプロトコルによってデータにプレゼンス情報に対するメッセージを含ませて送信することが好ましい。
【００７１】
本発明の他の実施形態において、図９のように、ユビキタスコンテンツゲートウェイ９１０がプレゼンス情報を加入者端末に送信する場合に、ユビキタスプレゼンスサーバ２３０のプレゼンスゲートウェイ２３５は、アプリケーションサーバ２２０からプレゼンス情報を受信してユビキタスコンテンツゲートウェイ９１０に伝達する。このとき、ユビキタスコンテンツゲートウェイ９１０は、加入者データベース２３４を参照して加入者端末の送信データフォーマットを判断し、加入者端末に適合したユーザインターフェースロジック９２０を選択する。これにより、該当データフォーマットの送信をサポートするいずれか１つのユーザインターフェースロジック９２０がプレゼンス情報を加入者端末がサポートするＸＭＬ、ＨＴＭＬ、ＷＡＰ、バイナリフォーマットなどのデータフォーマットに変換し、該当加入者端末の通信方式に応じて変換されたデータを送信する（Ｓ１７）。
【００７２】
本発明の他の実施形態において、ユビキタスプレゼンスサーバ２３０のプレゼンス送信部２３６は、非同期送信手段を用いてプレゼンスゲートウェイ２３５から伝達されるプレゼンス情報を非同期送信方式で該当端末に送信することもできる（Ｓ１８）。
【００７３】
多様な形態の各ユーザ端末２４０は、該当通信方式とデータフォーマットでプレゼンス情報を受信し、ユーザインターフェースを介して図３〜５のような形態で表示することができる。
【００７４】
一方、ユーザ端末２４０は、ユーザ端末２４０のクライアントを用いてユビキタスプレゼンスサーバ２３０にプレゼンスサービスの加入に必要な過程を実行することができる。ユーザ端末２４０は、ＵＥＤ要求を送信して該当ＵＥＤをユビキタス通知サービス部８１０から応答を受信する。また、ユーザ端末２４０は、クライアントと連動してＵＥＤファイルを解析するテンプレートパーサを用いてテンプレートを抽出して解析することにより、テンプレートに基づいた形態に変換された多様なプレゼンス表示形式でユーザインターフェースにプレゼンス情報を表示することができる。
【００７５】
本明細書に開示されている方法およびシステムで用いられる機能は、コンピュータで読取可能な媒体にコンピュータで読取可能なコードで実現されてもよい。コンピュータで読取可能な記録媒体は、コンピュータシステムによって読取可能なデータが格納されるすべての種類の記録装置を含む。コンピュータ読取可能な記録媒体の例としては、ＲＯＭ、ＲＡＭ、ＣＤ−ＲＯＭ、ＤＶＤ、磁気テープ、フロッピー（登録商標）ディスク、光データ格納装置などがあり、さらに搬送波（例えば、インターネットを介した送信）の形態で実現してもよい。また、コンピュータで読取可能な記録媒体は、ネットワークに連結されたコンピュータシステムに分散されて分散方式で、コンピュータで読取可能なコードが格納されて実行されることができる。
【産業上の利用可能性】
【００７６】
上述の説明から明らかなように、本発明のユビキタスプレゼンスサービスの方法及びシステムによれば、加入者リストを中継プラットホームで管理し、アプリケーションサーバからの各サービスに関するプレゼンスを１つの経路を介して集積して統合管理し、加入者に３Ａベースでいつどこででもデバイスに関係なく提供することができるため、多様なアプリケーションサーバで運営されるアプリケーションサービスの現在の状態についての情報の提供を受ける加入者は、自分のプレゼンスプロフィールを一括して管理することができ、アプリケーションサーバは、プレゼンスサービスの加入権限を一貫したインターフェースで提供することができる。
【００７７】
また、アプリケーションサーバが登録したデータフォーマットをサポートする適切なブローカーコネクション、所定のコンテンツゲートウェイと連動するＵＩロジック、または非同期送信プロセッサなどを運営することにより、どのような形態のユビキタスユーザ端末であっても、該当端末に適合した方式でプレゼンスサービスを受信することができる。
【００７８】
さらに、本発明のユビキタスプレゼンスサービスの方法及びシステムによれば、既存に提供されているレガシーサービスの小さな変更のみでユビキタスデバイスに適合した統合型プレゼンスサービスを提供することができ、ユーザがサービスにより密着することができるユビキタス連結環をユーザに提供することにより、サービス自体の成長にも相当に寄与することができる。
【００７９】
該当の技術分野において熟練した当業者にとっては、本発明の思想および範囲から逸脱しない範囲内で、本発明を多様に修正および変更させることができることは明らかである。したがって、本発明は、添付の請求項とその均等物の範囲内であれば、本願発明の変更及び変種を含むことが意図される。
【図１】
0005535067.tif 000003
【図２】
0005535067.tif 000004
【図４】
0005535067.tif 000005
【図７】
0005535067.tif 000006
【図８】
0005535067.tif 000007
【図９】
0005535067.tif 000008
【図１０】
0005535067.tif 000009
【図３】
0005535067.tif 000010
【図５】
0005535067.tif 000011
【図６】
0005535067.tif 000012